(57)【特許請求の範囲】
【請求項１】
透光性を有し、所定の装飾が施された回転装飾体と、
前記回転装飾体の背面側に配置され、回転軸を介して前記回転装飾体を回転自在に支持する支持部と、
前記回転軸が挿通される貫通孔が設けられ、前記支持部の前記回転装飾体側の面に配置される発光基板と、
を有する可動演出装置を備えた遊技機において、
前記発光基板の前記回転装飾体側の面には、
前記発光基板と略垂直な方向に発光する発光面を有し、前記回転装飾体の背面側から該回転装飾体に光を照射する第１発光源と、
前記発光基板と略平行な方向に発光する発光面を有し、該発光基板の外方に光を照射する第２発光源と、
が配置されると共に、
前記回転装飾体の背面又は前記支持部の前記回転装飾体側の面には、前記第２発光源から発せられる光と交わるように突出し、前記第２発光源からの光を屈折させて前記回転装飾体の外周端部に導く導光部が設けられていることを特徴とする遊技機。
【発明の詳細な説明】
【技術分野】
【０００１】
本発明は遊技機に関し、特に、可動演出装置を有する遊技機に関するものである。
【背景技術】
【０００２】
従来、パチンコ遊技機等の遊技機においては、遊技盤の表面側に形成された遊技領域に可動演出用の装飾体を備えているものがある。また、そのような装飾体の中には、回転可動に構成された回転装飾体があり、さらに、回転装飾体の後方に複数の発光源が配列された発光基板を配置し、回転装飾体を光らせながら回転させて遊技演出を行うものもある（例えば、特許文献１〜３参照）。
【先行技術文献】
【特許文献】
【０００３】
【特許文献１】特開２０１１−０５０６５９号公報
【特許文献２】特開２０１１−０３０８４５号公報
【特許文献３】特開２０１０−２５３１９０号公報
【発明の概要】
【発明が解決しようとする課題】
【０００４】
ここで、前記した特許文献１〜３のような従来の遊技機では、リード線の断線等を考慮し、回転装飾体に発光基板を付設するのではなく、回転装飾体の後方に配置される非回転の部材に発光基板を付設している。その際、回転装飾体の全体を適切に照らすために、回転装飾体と略同寸又はそれ以上の大きさの発光基板を用い、その上で、回転装飾体のサイズに応じた数の発光源を、回転装飾体の形状に合わせて発光基板上に配列していた。しかしながら、このような構成では、回転装飾体を大型化させると、発光基板が大型化して、可動演出装置の設置に要するスペースの拡大を招き、また、回転装飾体を照らすのに必要な発光源の数が増大するという問題があった。
【課題を解決するための手段】
【０００５】
かかる課題を解決するために、本発明の請求項１に記載の発明は、透光性を有し、所定の装飾が施された回転装飾体と、前記回転装飾体の背面側に配置され、回転軸を介して前記回転装飾体を回転自在に支持する支持部と、前記回転軸が挿通される貫通孔が設けられ、前記支持部の前記回転装飾体側の面に配置される発光基板と、を有する可動演出装置を備えた遊技機において、前記発光基板の前記回転装飾体側の面には、前記発光基板と略垂直な方向に発光する発光面を有し、前記回転装飾体の背面側から該回転装飾体に光を照射する第１発光源と、前記発光基板と略平行な方向に発光する発光面を有し、該発光基板の外方に光を照射する第２発光源と、が配置されると共に、前記回転装飾体の背面又は前記支持部の前記回転装飾体側の面には、前記第２発光源から発せられる光と交わるように突出し、前記第２発光源からの光を屈折させて前記回転装飾体の外周端部に導く導光部が設けられている遊技機としたことを特徴とする。
【０００６】
請求項１に係る発明によれば、発光基板と略垂直な方向に光を発する第１発光源とは別に、発光基板と略平行な方向に光を発する第２発光源を発光基板上に配置し、導光部により、第２発光源からの光を屈折させて回転装飾体の外周端部に導くように構成したため、狭い範囲に配置された発光源からより広い範囲の回転装飾体に光を照射することができ、回転装飾体の外周端部に光を集光し難い位置に発光源を配置しても、回転装飾体を適切に照らすことが可能になる。また、導光部を回転装飾体の背面又は支持部の回転装飾体側の面に設け、発光基板以外の領域に配置するため、回転装飾体の外周端部の後方にまで延びるように発光基板を大型化する必要がなくなるのに加え、回転装飾体を照らすのに必要な発光源の数を低減することが可能になる。
【図面の簡単な説明】
【０００７】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の可動演出装置の正面図である。
【図５】同パチンコ遊技機の可動演出装置の表面装飾部を取り外した状態を表面側からみた斜視図である。
【図６】同パチンコ遊技機の可動演出装置の表面装飾部を取り外した状態の正面図である。
【図７】同パチンコ遊技機の可動演出装置の背面図である。
【図８】同パチンコ遊技機の可動演出装置の表面装飾部を取り外した状態の上面図である。
【図９】同パチンコ遊技機の可動演出装置の表面装飾部を取り外した状態の右側面図である。
【図１０】図６のＡ−Ａ断面図である。
【図１１】図６のＢ−Ｂ断面図である。
【図１２】同パチンコ遊技機の可動演出装置の第２発光源から回転装飾体の側面装飾部に光が導かれる様子を示す概略図である。
【図１３】同パチンコ遊技機の第１変形例における可動演出装置の第２発光源から回転装飾体の側面装飾部に光が導かれる様子を示す概略図である。
【図１４】同パチンコ遊技機の第２変形例における可動演出装置の第２発光源から回転装飾体の側面装飾部に光が導かれる様子を示す概略図である。
【図１５】同パチンコ遊技機の第３変形例における可動演出装置の表面装飾部を取り外した状態の正面図である。
【発明を実施するための形態】
【０００８】
以下、本発明の実施の形態における遊技機について図面を参照しながら説明する。なお、本発明の実施の形態では、遊技機としてパチンコ遊技機を例に説明している。図１は、本発明の実施の形態におけるパチンコ遊技機を表面側からみた斜視図であり、図２は、同パチンコ遊技機を背面側からみた斜視図である。
【０００９】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１０】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１１】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１２】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１３】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１４】
遊技板３１は、その板面（遊技盤３０の盤面）等に遊技盤３０の有する各構成部材を固定するための板である。ガイドレール３２は、この遊技板３１の前記透明板１７ａと対向する表面側の板面に固定されて、この遊技板３１上に、パチンコ球の発射通路３１ａと、発射されたパチンコ球が転動しながら流下する遊技領域３１ｂとを区画形成する。遊技盤３０における遊技領域３１ｂのほぼ中央部には、遊技板３１に貫設された開口部３８が形成されている。この開口部３８の周縁には、センター装飾部材４０が形成されている。また、センター装飾部材４０には、開口部３８の下部を覆うように、ステージ５０が形成されている。
【００１５】
また、遊技領域３１ｂにおいては、遊技板３１に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１６】
また、遊技領域３１ｂにおける遊技板３１の板面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１７】
また、遊技板３１に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００１８】
また、演出表示装置３７の下部前方には、電気的に駆動させて上下動及び回転すると共に発光する可動演出装置１００（後述）が配設されている。この可動演出装置１００は、演出表示装置３７とステージ５０の間に設けられる収容空間に収容されている。
【００１９】
また、遊技領域３１ｂ内において、演出表示装置３７及びステージ５０の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２０】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２１】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２２】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２３】
以下、本実施の形態における可動演出装置１００について図４〜図１２を参照して詳細に説明する。図４は、本発明の実施の形態におけるパチンコ遊技機の可動演出装置の正面図であり、図５は、同パチンコ遊技機の可動演出装置の表面装飾部を取り外した状態を表面側からみた斜視図であり、図６は、同パチンコ遊技機の可動演出装置の表面装飾部を取り外した状態の正面図であり、図７は、同パチンコ遊技機の可動演出装置の背面図であり、図８は、同パチンコ遊技機の可動演出装置の表面装飾部を取り外した状態の上面図であり、図９は、同パチンコ遊技機の可動演出装置の表面装飾部を取り外した状態の右側面図であり、図１０は、図６のＡ−Ａ断面図であり、図１１は、図６のＢ−Ｂ断面図であり、図１２は、同パチンコ遊技機の可動演出装置の第２発光源から回転装飾体の側面装飾部に光が導かれる様子を示す概略図である。
【００２４】
本実施の形態における可動演出装置１００は、回転装飾体１１０、支持部１２０、発光基板１３０、第１発光源１４０、第２発光源１５０及び透光性カバー部材１６０を有し、該透光性カバー部材１６０の一部に導光部１６１を有する構成となっている。また、この可動演出装置１００は、図３に示すように、開口部３８の下方位置に配設されており（すなわち、センター装飾部材４０の下部を構成している）、定常位置（下端位置）と移動位置（上端位置）との間を矢印方向Ｃに往復移動（往復スライド移動）する構成となっている。なお、図３は、可動演出装置１００が定常位置（下端位置）に停止している状態であり、可動演出装置１００が移動位置（上端位置）に移動した状態については図示を省略する。また、この可動演出装置１００は、図４に示すように、キャラクタの顏及び上半身を表現するものであり、本発明の回転装飾体１１０としての顔部分が矢印方向Ｄに回転移動するように構成されている。また、この可動演出装置１００は、図５〜図６に示すように、発光基板１３０によりキャラクタの顏部分を構成する回転装飾体１１０が光るように構成されている。
【００２５】
以下、本実施の形態における可動演出装置１００の各構成について、図４〜図１２を参照して説明する。
【００２６】
本実施の形態の回転装飾体１１０は、図４に示すように、装飾が施された表面装飾部（表面部）１１１と側面装飾部（外周端部）１１２を有しており、ここでは、表面装飾部１１１に帽子を被ったキャラクタの顔部分の装飾が施されており、側面装飾部１１２に帽子の縁部分の装飾が施されている。そして、後述する透光性カバー部材１６０に固定されて、当該透光性カバー部材１６０と共に後述する支持部１２０の回転軸１２１に固定されることより、回転装飾体１１０全体（帽子の縁部分を含め、帽子を被ったキャラクタの顔部分全体）が所定量回転するようになっている。また、表面装飾部１１１と側面装飾部１１２は、共に照射された光を所定量透過可能な素材、色、厚み等に構成されている。これにより、後述する発光基板１３０の第１発光源１４０から発せられた光が表面装飾部１１１を照らし、また、発光基板１３０の第２発光源１５０から発せられた光が側面装飾部１１２を照らして、その光が所定量透過することで、当該表面装飾部１１１や側面装飾部１１２を光らせるようになっている。
【００２７】
本実施の形態の支持部１２０は、回転装飾体１１０の背面側に配置されて、回転装飾体１１０を回転自在に支持するものであり、図５〜図７に示すように、回転装飾体１１０を回転させる回転軸１２１を有している。また、本実施の形態の支持部１２０は、図７に示すように、その背面側に、回転軸１２１を回転させる駆動力を発生させる駆動源（モータ）１２５と、その駆動力を回転軸１２１に伝達する複数のギア１２６を有している。さらに、本実施の形態の支持部１２０は、図７に示すように、背面側にラック１２４を有している。このラック１２４は、遊技盤３０又はセンター装飾部材４０側に固定された駆動源（モータ）１２２の駆動力を伝達するピニオンギア１２３と歯合して、ラック１２４が固定された可動演出装置１００を上下動させるラック＆ピニオン機構を構成している。
【００２８】
本実施の形態の発光基板１３０は、支持部１２０に付設され、支持部１２０の回転装飾体１１０側の面に配置されている。この発光基板１３０は、回転装飾体１１０に比べて表面積が小さく、図５〜図６に示すように、回転装飾体１１０を固定して回転する透光性カバー部材１６０（後述）の背面側に、回転装飾体１１０が配置される範囲全体より小さい範囲に配置されている。なお、本実施の形態では、発光基板１３０は、支持部１２０に固定されていて回転しないように構成されている。この発光基板１３０には、回転軸１２１が挿通される貫通孔１３２が設けられる（図１０参照）と共に、第１発光源１４０、第２発光源１５０がそれぞれ複数配設されている。
【００２９】
本実施の形態の第１発光源１４０は、発光基板１３０の板面１３１から略垂直方向Ｘ（パチンコ遊技機１０の表面側）に発光する発光面を有するＬＥＤからなる発光源である。この第１発光源１４０は、透光性カバー部材１６０（後述）を介して回転装飾体１１０の表面装飾部１１１の方向に光を照射するようになっており、表面装飾部１１１の背面側の照射範囲と略同じ範囲において、照射する光が均等になるように複数配置されている。
【００３０】
本実施の形態の第２発光源１５０は、発光基板１３０の板面１３１に当該板面１３１と略平行方向Ｙ（パチンコ遊技機１０の遊技盤３０と略平行な方向）に発光する発光面を有するＬＥＤからなる発光源である。この第２発光源１５０は、発光基板１３０の周縁部全体に所定間隔で形成されている。また、この第２発光源１５０は、後述のように、透光性カバー部材１６０のうちの導光部１６１を介して回転装飾体１１０の側面装飾部１１２の方向に光を照射するようになっており、側面装飾部１１２から一定の距離を有する位置に配置されている。このように、第２発光源１５０が発光基板１３０の周縁部全体に配置されているため、回転装飾体１１０が回転してどの位置にあっても、常に側面装飾部１１２が光るようにすることができる。
【００３１】
本実施の形態の透光性カバー部材１６０は、回転装飾体１１０を固定すると共に、支持部１２０の回転軸１２１に対し、当該回転軸１２１の回転と共に回転自在に固定されるものであり、発光基板１３０の表面側に配置されている。また、この透光性カバー部材１６０は、発光基板１３０を覆うと共に、その外側に、回転装飾体１１０の帽子の縁部分に装飾された側面装飾部１１２を構成している。この側面装飾部１１２は、図１２に示すように、第２発光源１５０の光軸ＯＡと交わらない位置に配置されている。これは、回転装飾体１１０と支持部１２０の干渉を避けるように回転装飾体１１０の後端１１０ａの位置が定められるためである。なお、本明細書において、光軸ＯＡとは、第２発光源１５０の発光面と直交する軸線であり、放射状に拡がる光の中心軸を言う。
【００３２】
また、透光性カバー部材１６０は、第２発光源１５０を覆う周縁部からその外側の所定位置に掛けて、導光部１６１を有している。導光部１６１は、第２発光源１５０からの光を受光可能な位置（第２発光源１５０からの光線束Ｌの経路上）に配置され、第２発光源１５０が発する光の照射範囲と重なるように形成される。この導光部１６１は、放射特性により拡がる第２発光源１５０の光の一部（第２発光源１５０から発せられる光のうち、導光部１６１に入射されるもの）を所定量屈折させてその拡散を防ぎ、より多くの光Ｌ’を側面装飾部１１２（回転装飾体１１０の外周端部）に集光するために設けられる。この導光部１６１は、第２発光源１５０の照射方向や配置位置、側面装飾部１１２の大きさや配置位置、第２発光源１５０と側面装飾部１１２との距離や位置関係に応じて、その厚みや傾斜角度、屈折率（材料）が決められ、より多くの光Ｌ’が側面装飾部１１２に到達するように構成されている。そして、これにより、第２発光源１５０が側面装飾部１１２のすぐ近くに配置されていなくても、十分な光量を維持することができるものである。
【００３３】
また、本実施の形態の透光性カバー部材１６０には、原点位置検出用センサ１６３と、原点位置補正用磁石１６２が設けられている。原点位置検出用センサ１６３は、支持部１２０との間で作用するフォトセンサ等で構成されており、回転軸１２１の回転と共に回転装飾体１１０が回転した後に、顔部分が傾きなく保持される原点位置で回転装飾体１１０及び透光性カバー部材１６０が確実に停止できるように位置検出を行うものである。また、原点位置補正用磁石１６２は、支持部１２０に設けられた磁石（図示省略）との間で作用して、回転装飾体１１０及び透光性カバー部材１６０の位置を補正するものである。すなわち、原点位置検出用センサ１６３で原点位置を検出して回転装飾体１１０及び透光性カバー部材１６０を停止させた後に、この原点位置補正用磁石１６２で停止位置の誤差を補正して、より確実にキャラクタの顏の傾きのない状態にするための補正装置である。
【００３４】
以上のように、本実施の形態のパチンコ遊技機（遊技機）１０は、透光性を有し、所定の装飾が施された回転装飾体１１０と、前記回転装飾体１１０の背面側に配置され、回転軸１２１を介して前記回転装飾体１１０を回転自在に支持する支持部１２０と、前記回転軸１２１が挿通される貫通孔１３２が設けられ、前記支持部１２０の前記回転装飾体１１０側の面に配置される発光基板１３０と、を有する可動演出装置１００を備えたパチンコ遊技機（遊技機）１０において、前記発光基板１３０の前記回転装飾体１１０側の面１３１には、前記発光基板１３０と略垂直な方向Ｘに発光する発光面を有し、前記回転装飾体１１０の背面側から該回転装飾体１１０に光を照射する第１発光源１４０と、前記発光基板１３０と略平行な方向Ｙに発光する発光面を有し、該発光基板１３０の外方に光を照射する第２発光源１５０と、が配置されると共に、前記回転装飾体１１０の背面又は前記支持部１２０の前記回転装飾体１１０側の面には、前記第２発光源１５０から発せられる光と交わるように突出し、、前記第２発光源１５０からの光を屈折させて前記回転装飾体１１０の側面装飾部（外周端部）１１２に導く導光部１６１が設けられているパチンコ遊技機（遊技機）１０としたことを特徴とする。
【００３５】
そして、本実施の形態のパチンコ遊技機（遊技機）１０によれば、発光基板１３０と略垂直な方向Ｘに光を発する第１発光源１４０とは別に、発光基板１３０と略平行な方向Ｙに光を発する第２発光源１５０を発光基板１３０上に配置し、導光部１６１により、第２発光源１５０からの光を屈折させて回転装飾体１１０の側面装飾部（外周端部）１１２に導くように構成したため、狭い範囲に配置された発光源からより広い範囲の回転装飾体１１０に光を照射することができ、回転装飾体１１０の側面装飾部（外周端部）１１２に光を集光し難い位置に発光源を配置しても、回転装飾体１１０を適切に照らすことが可能になる。また、導光部１６１を回転装飾体１１０の背面又は支持部１２０の回転装飾体１１０側の面に設け、発光基板１３０以外の領域に配置するため、回転装飾体１１０の側面装飾部（外周端部）１１２の後方にまで延びるように発光基板１３０を大型化する必要がなくなるのに加え、回転装飾体１１０を照らすのに必要な発光源の数を低減することが可能になる。
【００３６】
なお、以上説明した実施の形態は、本発明の理解を容易にするために記載されたものであって、本発明を限定するために記載されたものではない。
【００３７】
例えば、前記した実施の形態では、遊技機としてパチンコ遊技機を挙げて説明したが、本発明はこれに限るものではなく、パチスロ、アレンジボール等の他の遊技機にも適用可能である。
【００３８】
また、前記した実施の形態では、透明カバー部材１６０と支持部１２０との干渉を考慮して、図１２に示すように、可動演出装置１００における導光部１６１及び回転装飾体１１０の側面装飾部（外周端部）１１２が、第２発光源１５０の配置位置よりも前方（遊技者側）に配置されていたが、本発明はこれに限るものではない。例えば、回転装飾体と支持部との干渉を考慮しないで良い構成であれば、第１変形例として図１３に示す可動演出装置１００Ａのように、導光部１６１Ａ及び回転装飾体１１０の側面装飾部（外周端部）１１２Ａが、第２発光源１５０の配置位置よりも後方（遊技機の背面側）まで延びている場合も考えられる。このような構成であると、第２発光源１５０から照射された光をより多く回転装飾体１１０の側面装飾部（外周端部）１１２Ａに導くことができ、側面装飾部（外周端部）１１２Ａをより明るく照らすことが可能となるものである。
【００３９】
また、前記した実施の形態では、透明カバー部材１６０の後方への迫り出し部分に導光部１６１を形成し、回転装飾体１１０の背面に導光部１６１を突設するようにしていたが、本発明はこれに限るものではない。例えば、第２変形例として図１４に示す可動演出装置１００Ｂのように、支持部１２０の前面（回転装飾体１１０側の面）に導光部１２７Ｂを突設することも可能である。この導光部１２７Ｂは、第２発光源１５０からの光と交わるように迫り出し形成され、透明カバー部材１６０の導光部１６１と同様に、第２発光源１５０からの光を屈折させて回転装飾体１１０の側面装飾部（外周端部）１１２Ｂに導くように構成されるものである。
【００４０】
また、前記した実施の形態では、回転装飾体１１０が回転した後に通常位置に戻るために、永久磁石を用いて位置決めしていたが、これに限るものではない。例えば、第３変形例として図１５に示す可動演出装置１００Ｃのように、永久磁石を有しておらず、回転装飾体１１０の左右の所定位置に分銅等の重り１６４を有しており、これにより回転装飾体１１０が回転した後に、通常位置に戻る際、重り１６４がバランスをとって顔部分が水平となる丁度良い位置で停止するようになっていても良い。この場合、重り１６４がバランスをとる過程で、顔部分が左右に振子のように傾くこととなり、興趣の高い動きとなるものである。
【符号の説明】
【００４１】
１０…パチンコ遊技機（遊技機）、１００，１００Ａ，１００Ｂ，１００Ｃ…可動演出装置、１１０…回転装飾体、１１２，１１２Ａ，１１２Ｂ…側面装飾部（外周端部）、１２０…支持部、１２１…回転軸、１３０…発光基板、１３１…発光基板の回転装飾体側の面、１３２…貫通孔、１４０…第１発光源、１５０…第２発光源、１２７Ｂ，１６１，１６１Ａ…導光部
【図１】
0005488533.tif 000002
【図２】
0005488533.tif 000003
【図３】
0005488533.tif 000004
【図４】
0005488533.tif 000005
【図５】
0005488533.tif 000006
【図６】
0005488533.tif 000007
【図７】
0005488533.tif 000008
【図８】
0005488533.tif 000009
【図９】
0005488533.tif 000010
【図１０】
0005488533.tif 000011
【図１１】
0005488533.tif 000012
【図１２】
0005488533.tif 000013
【図１３】
0005488533.tif 000014
【図１４】
0005488533.tif 000015
【図１５】
0005488533.tif 000016